(57)【要約】【課題】ハウジングに配線板状部材が差し込まれるコネクタ装置であって、ハウジングの両端部に取り付けられた一対の同一形状を有した係合部材によってハウジングに差し込まれた配線板状部材を確実かつ安定に係止できるものを提供する。【解決手段】複数のコンタクトの配列を有したハウジング１１に差し込まれたＦＰＣ４０に対する係止を行う係合部材２０；２１を備え、係合部材が、ハウジングに固定される基部２３；３１とそれから屈曲連結部２５；３３を介して伸びる弾性可動アーム状部２４；３２とを有していて、複数のコンタクトの配列方向及びハウジングに対するＦＰＣ４０の差込み方向の両者に直交する所定の方向における基部の中心を通って当該所定の方向に直交する対称面に関して面対称を成すものとして形成されており、弾性可動アーム状部に、ハウジングに差し込まれたＦＰＣを係止する係止部が形成されている。【選択図】図７
2015170458.tif 000002
【特許請求の範囲】
【請求項１】
板状部材差込み部が設けられて配線基板上に配されるハウジングと、
該ハウジングに配列配置されて設けられ、上記配線基板に設けられた配線端子に連結される状態をとり、配線板状部材が上記ハウジングに上記板状部材差込み部を通じて差し込まれたとき、上記ハウジングに差し込まれた配線板状部材における複数の接触端子部に接触接続される複数のコンタクトと、
上記ハウジングにおける上記複数のコンタクトの配列方向の両端部に夫々取り付けられて、配線板状部材が上記ハウジングに上記板状部材差込み部を通じて差し込まれたとき、上記複数のコンタクトが上記複数の接触端子部に接触接続された状態を維持すべく上記配線板状部材に対する係止を行う一対の係合部材と、
を備えて成り、
上記一対の係合部材の各々が、上記ハウジングにおける上記板状部材差込み部の外側となる部分に固定される基部と該基部から屈曲連結部を介して上記板状部材差込み部に向かって伸びる弾性可動アーム状部とを有していて、上記複数のコンタクトの配列方向及び上記ハウジングに対する上記板状部材差込み部を通じた配線板状部材の差込み方向の両者に直交する所定の方向における上記基部の中心を通って上記所定の方向に直交する対称面に関して面対称を成すものとして形成されていること、及び、上記弾性可動アーム状部に、上記板状部材差込み部を通じて上記ハウジングに差し込まれた配線板状部材における係合部に係合して上記配線板状部材を係止する係止部が形成されていること、を特徴とするコネクタ装置。
【請求項２】
上記弾性可動アーム状部における上記屈曲連結部と上記係止部との間となる部分が、上記板状部材差込み部を通じて上記ハウジングに差し込まれる配線板状部材に対する当接案内部を形成していることを特徴とする請求項１記載のコネクタ装置。
【請求項３】
上記弾性可動アーム状部における上記係止部から伸びる先端部に、上記ハウジングに設けられた当接受部に当接して、上記先端部の上記複数のコンタクトの配列方向に沿った変位を規制する規制部が形成されていることを特徴とする請求項１記載のコネクタ装置。
【請求項４】
上記係合部材が、弾性金属材料によって一体的に構成され、上記弾性可動アーム状部が上記基部から伸びる弾性揺動可能部を成していることを特徴とする請求項１記載のコネクタ装置。
【請求項５】
上記係合部材における上記基部に、上記ハウジングの外部へと伸びて上記配線基板に設けられた導体部分に半田付けされる半田付け部が設けられていることを特徴とする請求項４記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接触端子部に接触接続されるコンタクトと装着された配線板状部材に対する係止を行う係合部材とを備えたコネクタ装置に関する。
【背景技術】
【０００２】
各種の電子機器に実装される比較的小型なフレキシブル印刷配線基板やフレキシブル平板状ケーブル等の配線板状部材は、種々の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、主配線基板に設けられた配線端子に連結されたもとで配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル印刷配線基板とされる配線板状部材の主配線基板への取付けに用いられるコネクタ装置であって第１の類型に属するものは、配線板状部材が差し込まれる差込み部を形成するものとされて主配線基板に配される、例えば、絶縁材料によって形成されたハウジングを有している。そして、そのハウジング内に配列配置されて設けられて主配線基板に設けられた配線端子に連結され、配線板状部材が差込み部を通じてハウジングに差し込まれたとき、その配線板状部材に設けられた複数の接触端子部に夫々対応するものとなる複数のコンタクトと、ハウジングに対して回動可能に設けられたアクチュエータとを備えている。
【０００４】
斯かる従来の第１の類型に属するコネクタ装置に備えられるアクチュエータは、複数のコンタクトの夫々に係合し、回動せしめられるとき複数のコンタクトの夫々における作動部を変位させて、複数のコンタクトに、差込み部を通じてハウジングに差し込まれた配線板状部材に設けられた複数の接触端子部に夫々接触接続された状態、もしくは、複数の接触端子部との接触接続から解放された状態をとらせるものとされる。そして、複数のコンタクトと配線板状部材に設けられた複数の接触端子部とが相互接触接続されることにより、配線板状部材が主配線基板との電気的接続状態におかれる。
【０００５】
さらに、従来提案されている配線板状部材の主配線基板への取付けに用いられるコネクタ装置であって第２の類型に属するものは、上述のようなハウジングを有し、上述のような複数のコンタクトを備えているが、ハウジングに対して回動可能に設けられるアクチュエータは備えていない。斯かる従来の第２の類型に属するコネクタ装置にあっては、配線板状部材が差込み部を通じてハウジングに差し込まれたとき、自動的に、ハウジング内に設けられた複数のコンタクトが、差し込まれた配線板状部材に設けられた複数の接触端子部に夫々接触接続され、配線板状部材が差込み部を通じてハウジングに適正に差し込まれるだけで、配線板状部材が主配線基板との電気的接続状態におかれる。
【０００６】
このような従来提案されているコネクタ装置にあっては、ハウジングに対して回動可能に設けられるアクチュエータを備えたもの及び斯かるアクチュエータを備えていないもののいずれの場合にも、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的接続状態におかれるにあたり、配線板状部材がハウジングから不所望に抜脱されるような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００７】
そのため、上述のような、ハウジングを有し、そのハウジングに配された複数のコンタクトを備えたコネクタ装置であって、ハウジングに差込み部を通じて差し込まれた配線板状部材に係合して、当該配線板状部材のハウジングからの不所望な抜脱を阻止する係止手段を備えたものが従来提案されている（例えば、特許文献１参照。）。
【０００８】
特許文献１に示されるコネクタ装置（10）にあっては、ハウジング（11) における複数のコンタクト(17)の配列方向の両端部分（便宜上、右端部及び左端部という。）に、各々が係止手段を成す一対の係合部材(25)及び係合部材(26)が夫々取り付けられている。
【０００９】
ハウジングの右端部に取り付けられた係合部材(25)は、ハウジング(11)に固定される基部(27)と基部(27)から第１の折返し屈曲部(30)を介して伸びる第１の可動アーム状部(28)と基部(27)から第２の折返し屈曲部(31)を介して伸びる第２の可動アーム状部(29)とを有している。第１の折返し屈曲部(30)と第２の折返し屈曲部(31)とは、各々の屈曲方向を互いに逆方向として基部(27)に連結されていて、それにより、第１の可動アーム状部(28)が第１の折返し屈曲部(30)から伸びる方向と第２の可動アーム状部(29)が第２の折返し屈曲部(31)から伸びる方向とは、互いに逆方向とされており、第１の可動アーム状部(28)と第２の可動アーム状部(29)とは、第１の可動アーム状部(28)を内側にして、複数のコンタクト(17)の配列方向に沿って配されている。
【００１０】
第１の可動アーム状部(28)には、板状部材差込み部(12)を通じてハウジングに差し込まれた配線板状部材を成すフレキシブル印刷配線基板(13)における切欠き係合部(34)に係合してフレキシブル印刷配線基板(13)を係止する係止部(35)が形成されている。また、第２の可動アーム状部(29)には、ハウジング１１の外部へと突出する操作部(37)と、第１の可動アーム状部(28)における係止部(35)の近傍の部分に向かって突出する押圧部(38)と、が形成されている。操作部(37)に移動操作が加えられたときには、第２の可動アーム状部(29)が基部(27)に近接する揺動を行って変位し、それにより、押圧部(38)が、第１の可動アーム状部(28)における係止部(35)の近傍の部分に当接して、第１の可動アーム状部(28)を係止部(35)が基部(27)に近接するように変位させる。
【００１１】
このように構成された係合部材(25)が、ハウジング(11)の右端部に取り付けられたもとで、フレキシブル印刷配線基板(13)がハウジング(11)に板状部材差込み部(12)を通じて差し込まれると、係止部(35)がフレキシブル印刷配線基板(13)における切欠き係合部(34)に係合してフレキシブル印刷配線基板(13)を係止する。そして、係止部(35)がフレキシブル印刷配線基板(13)における切欠き係合部(34)に係合してフレキシブル印刷配線基板(13)を係止しているもとで、操作部(37)に移動操作が加えられると、係止部(35)が、基部(27)に近接するように変位して、フレキシブル印刷配線基板(13)における切欠き係合部(34)との係合を止め、フレキシブル印刷配線基板(13)に対する係止を解除する。
【００１２】
また、ハウジング(11)の左端部に取り付けられた係合部材(26)は、係合部材(25)とは鏡面対称を成す構成を有するものとされている。従って、係合部材(26)は、係合部材(25)が有する基部(27)と第１の可動アーム状部(28)と第２の可動アーム状部(29)とに夫々相当する、基部と第１の可動アーム状部と第２の可動アーム状部とを有していて、係合部材(26)における第１の可動アーム状部には、係合部材(25)における係止部(35)に相当する係止部(41)が、板状部材差込み部(12)を通じてハウジング(11)に差し込まれたフレキシブル印刷配線基板(13)における切欠き係合部(40)に係合してフレキシブル印刷配線基板(13)を係止するものとして形成されており、また、係合部材(26)における第２の可動アーム状部には、係合部材(25)における操作部(37)及び押圧部(38)に夫々相当する、操作部(43)及び押圧部が形成されている。
【００１３】
このように構成された係合部材(26)が、ハウジング(11)の左端部に取り付けられたもとで、フレキシブル印刷配線基板(13)がハウジング(11)に板状部材差込み部(12)を通じて差し込まれると、係止部(41)がフレキシブル印刷配線基板(13)における切欠き係合部(40)に係合してフレキシブル印刷配線基板(13)を係止する。そして、係止部(41)がフレキシブル印刷配線基板(13)における切欠き係合部(40)に係合してフレキシブル印刷配線基板(13)を係止しているもとで、操作部(43)に移動操作が加えられると、係止部(41)が、基部に近接するように変位して、フレキシブル印刷配線基板(13)における切欠き係合部(40)との係合を止め、フレキシブル印刷配線基板(13)に対する係止を解除する。
【００１４】
上述のようにして、ハウジング(11)の右端部及び左端部に夫々取り付けられた係合部材(25)及び係合部材(26)が、板状部材差込み部(12)を通じてハウジング(11)に差し込まれたフレキシブル印刷配線基板(13)を係止することにより、ハウジング(11)に差し込まれたフレキシブル印刷配線基板(13)のハウジング(11)からの不所望な抜脱が阻止される。
【先行技術文献】
【特許文献】
【００１５】
【特許文献１】特開２０１２−２２１８５９号公報（段落００４７〜００７７，図１〜１０）
【発明の概要】
【発明が解決しようとする課題】
【００１６】
上述のような、ハウジングに差し込まれたフレキシブル印刷配線基板等の配線板状部材のハウジングからの不所望な抜脱の阻止に関与する係止手段を備えた配線板状部材の主配線基板への取付けに用いられるコネクタ装置として、従来提案されているものにあっては、複数のコンタクトが配列配置されたハウジングにおける複数のコンタクトの配列方向の両端部分（右端部及び左端部）に、各々が係止手段を成す一対の係合部材が夫々取り付けられている。そして、これらの係合部材は、相互に鏡面対称を成すように構成されていて、互いに異なる形状を有した一対の部材とされている。
【００１７】
即ち、前述の従来提案されているコネクタ装置にあっては、ハウジングにおける右端部及び左端部に、互いに異なる形状を有して別部品とされた一対の係合部材が夫々取り付けられていることになる。このように、一対の係合部材の各々が別部品とされることにより、コネクタ装置の製造にあたっての部品管理における負担の増加がもたらされ、さらに、ハウジングに係合部材を取り付ける際の部品の取違え等を防止するための作業管理における負担の増加がもたらされることになってしまう。
【００１８】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングとハウジングに配列配置されて設けられる複数のコンタクトとを備えたコネクタ装置であって、ハウジングにおける複数のコンタクトの配列方向の両端部分に一対の同一形状を有した係合部材を取り付けることができ、その一対の係合部材によってハウジングに板状部材差込み部を通じて差し込まれた配線板状部材に対する係合部材による係止を確実かつ安定に行うことができるものを提供する。
【課題を解決するための手段】
【００１９】
本願の特許請求の範囲における請求項１から請求項５までのいずれかに記載された発明（以下、本発明という。）に係るコネクタ装置は、板状部材差込み部が設けられて配線基板上に配されるハウジングと、ハウジングに配列配置されて設けられ、配線基板に設けられた配線端子に連結される状態をとり、配線板状部材がハウジングに板状部材差込み部を通じて差し込まれたとき、ハウジングに差し込まれた配線板状部材における複数の接触端子部に接触接続される複数のコンタクトと、ハウジングにおける複数のコンタクトの配列方向の両端部に夫々取り付けられて、配線板状部材がハウジングに板状部材差込み部を通じて差し込まれたとき、複数のコンタクトが複数の接触端子部に接触接続された状態を維持すべく配線板状部材に対する係止を行う一対の係合部材と、を備えて構成される。そして、一対の係合部材の各々が、ハウジングにおける板状部材差込み部の外側となる部分に固定される基部とその基部から屈曲連結部を介して板状部材差込み部に向かって伸びる弾性可動アーム状部とを有していて、複数のコンタクトの配列方向及びハウジングに対する板状部材差込み部を通じた配線板状部材の差込み方向との両者に直交する所定の方向における基部の中心を通って上述の所定の方向に直交する対称面に関して面対称を成すものとして形成されており、さらに、弾性可動アーム状部に、板状部材差込み部を通じてハウジングに差し込まれた配線板状部材における係合部に係合して当該配線板状部材を係止する係止部が形成されているものとされる。
【００２０】
特に、本願の特許請求の範囲における請求項２に記載された本発明に係るコネクタ装置にあっては、弾性可動アーム状部における屈曲連結部と係止部との間となる部分が、板状部材差込み部を通じてハウジングに差し込まれる配線板状部材に対する当接案内部を形成している。
【００２１】
また、本願の特許請求の範囲における請求項３に記載された本発明に係るコネクタ装置にあっては、弾性可動アーム状部における係止部から伸びる先端部に、ハウジングに設けられた当接受部に当接して、先端部の複数のコンタクトの配列方向に沿った変位を規制する規制部が形成されている。
【００２２】
上述のような本発明に係るコネクタ装置にあっては、配線基板上に配されるハウジングにそれに設けられた板状部材差込み部を通じて配線板状部材が差し込まれると、ハウジングに配列配置された複数のコンタクトが、差し込まれた配線板状部材における複数の接触端子部に接触接続されるとともに、ハウジングにおける複数のコンタクトの配列方向の両端部に夫々取り付けられた一対の係合部材の夫々が、ハウジング内において複数のコンタクトが複数の接触端子部に接触接続された状態を維持すべく、係止部を差し込まれた配線板状部材における係合部に係合させて当該配線板状部材に対する係止を行い、配線板状部材のハウジングからの不所望な抜脱を阻止する。
【００２３】
斯かるもとで、一対の係合部材の夫々は、ハウジングにおける板状部材差込み部の外側となる部分に固定される基部とその基部から屈曲連結部を介して板状部材差込み部に向かって伸びる弾性可動アーム状部とを有していて、複数のコンタクトの配列方向及びハウジングに対する板状部材差込み部を通じた配線板状部材の差込み方向との両者に直交する所定の方向における基部の中心を通って上述の所定の方向に直交する対称面に関して面対称を成すものとして形成されている。そして、一対の係合部材の夫々が有する弾性可動アーム状部に、板状部材差込み部を通じてハウジングに差し込まれた配線板状部材における係合部に係合して当該配線板状部材を係止する係止部が形成されている。
【００２４】
また、一対の係合部材の夫々は、例えば、本願の特許請求の範囲における請求項２に記載された本発明に係るコネクタ装置の場合のように、弾性可動アーム状部における屈曲連結部と係止部との間となる部分が、板状部材差込み部を通じてハウジングに差し込まれる配線板状部材に対する当接案内部を形成しているものとされる。
【００２５】
さらに、一対の係合部材の夫々は、例えば、本願の特許請求の範囲における請求項３に記載された本発明に係るコネクタ装置の場合のように、弾性可動アーム状部における係止部から伸びる先端部に、ハウジングに設けられた当接受部に当接して、先端部の複数のコンタクトの配列方向に沿った変位を規制する規制部が形成されたものとされる。
【発明の効果】
【００２６】
本発明に係るコネクタ装置においては、上述のように、ハウジングにおける複数のコンタクトの配列方向の両端部に夫々取り付けられた一対の係合部材の夫々が、複数のコンタクトの配列方向及びハウジングに対する板状部材差込み部を通じた配線板状部材の差込み方向との両者に直交する所定の方向における基部の中心を通って上述の所定の方向に直交する対称面に関して面対称を成すものとして形成されている。それにより、一対の係合部材の夫々を、同一形状を有した部品であって、その向きを互いに異にするものとすることができる。即ち、本発明に係るコネクタ装置にあっては、ハウジングにおける複数のコンタクトの配列方向の両端部に一対の同一形状を有した係合部材を取り付けることができることになる。その結果、本発明に係るコネクタ装置によれば、コネクタ装置の製造にあたっての部品管理における負担が軽減され、さらに、ハウジングに係合部材を取り付ける際の部品の取違え等を防止するための作業管理における負担も軽減されることになる。
【００２７】
しかも、一対の係合部材の夫々が、ハウジングにおける板状部材差込み部の外側となる部分に固定される基部とその基部から屈曲連結部を介して板状部材差込み部に向かって伸びる弾性可動アーム状部とを有していて、弾性可動アーム状部に、板状部材差込み部を通じてハウジングに差し込まれた配線板状部材における係合部に係合して当該配線板状部材を係止する係止部が形成されたものとされていることにより、一対の係合部材の夫々による、ハウジングに板状部材差込み部を通じて差し込まれた配線板状部材に対する係止を、確実かつ安定に行うことができることになる。
【００２８】
なお、一対の係合部材の夫々による係止が行われた配線板状部材をハウジングから抜き出す必要が生じた場合には、配線板状部材に、ハウジングへの差込み方向とは逆方向の所定以上の引出し力を加えることにより、一対の係合部材の夫々における弾性可動アーム状部の弾性を利用して、一対の係合部材の夫々による配線板状部材に対する係止を解除することができる。
【００２９】
特に、本願の特許請求の範囲における請求項２に記載された本発明に係るコネクタ装置にあっては、一対の係合部材の夫々が、弾性可動アーム状部における屈曲連結部と係止部との間となる部分が、板状部材差込み部を通じてハウジングに差し込まれる配線板状部材に対する当接案内部を形成しているものとされる。それにより、板状部材差込み部を通じてハウジングに差し込まれる配線板状部材が、一対の係合部材の夫々に設けられた当接案内部に当接してそれによる案内を受け、ハウジングに対する差込みが円滑に行われるものとされる。
【００３０】
また、本願の特許請求の範囲における請求項３に記載された本発明に係るコネクタ装置にあっては、一対の係合部材の夫々が、弾性可動アーム状部における係止部から伸びる先端部に、ハウジングに設けられた当接受部に当接して、先端部の複数のコンタクトの配列方向に沿った変位を規制する規制部が形成されたものとされる。それにより、一対の係合部材の夫々による係止が行われた配線板状部材に、それをハウジングから抜き出そうとする不所望な力が加えられたとき、一対の係合部材の夫々における規制部がハウジングに設けられた当接受部に当接して、弾性可動アーム状部の先端部の複数のコンタクトの配列方向に沿った変位を規制し、それに伴って、一対の係合部材の夫々における係止部が配線板状部材における係合部に係合した状態が維持される。その結果、配線板状部材がハウジングから容易に抜き出されてしまう事態が阻止される。
【図面の簡単な説明】
【００３１】
【図１】本発明に係るコネクタ装置の一例を示す斜視図である。
【図２】本発明に係るコネクタ装置の一例を示す平面図である。
【図３】本発明に係るコネクタ装置の一例が備える係合部材を示す斜視図である。
【図４】本発明に係るコネクタ装置の一例が備える係合部材を示す斜視図である。
【図５】図２における V−V 線断面を示す断面図である。
【図６】本発明に係るコネクタ装置の一例が備えるハウジングに差し込まれるフレキシブル印刷配線基板を示す斜視図である。
【図７】本発明に係るコネクタ装置の一例が備えるハウジングにフレキシブル印刷配線基板が差し込まれた状態を示す斜視図である。
【図８】本発明に係るコネクタ装置の一例が備えるハウジングにフレキシブル印刷配線基板が差し込まれ、本発明に係るコネクタ装置の一例が備えるアクチュエータが第１の静止位置をとる状態を示す正面図である。
【図９】図８におけるIX−IX線断面を示す断面図である。
【図１０】図８における一点鎖線枠Ａ内をフレキシブル印刷線基板を除去して示す部分正面図である。
【図１１】本発明に係るコネクタ装置の一例が備えるハウジングにフレキシブル印刷線基板が差し込まれ、本発明に係るコネクタ装置の一例が備えるアクチュエータが第２の静止位置をとる状態を示す断面図である。
【発明を実施するための形態】
【００３２】
本発明を実施するための形態は、以下に述べられる本発明についての実施例をもって説明される。
【実施例】
【００３３】
図１（斜視図）及び図２（平面図）は、本願発明に係るコネクタ装置の一例を示す。
【００３４】
図１及び図２において、本願発明に係るコネクタ装置の一例を成すコネクタ装置１０は、合成樹脂等の絶縁材料によって形成され、電子機器の配線基板（図示が省略されている。）上に配されるハウジング１１を備えており、ハウジング１１には、その正面側端縁部に板状部材差込み部１２が設けられている。ハウジング１１が配線基板上に配されることにより、コネクタ装置１０の全体が配線基板に取り付けられたものとされる。そして、板状部材差込み部１２を通じて、例えば、後述されるフレキシブル印刷配線基板とされる配線板状部材が、ハウジング１１にその内部へと差し込まれる。
【００３５】
ハウジング１１には、各々が弾性導電材料で形成された複数のコンタクト１３及び複数のコンタクト１４が、ハウジング１１の長手方向に沿う方向に交互に配列配置されて設けられている。複数のコンタクト１３及び複数のコンタクト１４の夫々は、その大部分がハウジング１１の内部に収容されたものとされているが、コンタクト１３の端部がハウジング１１における正面側端縁部に対向する背面側端縁部からその外部に突出し、また、コンタクト１４の夫々の端部がハウジング１１における正面側端縁部からその外部に突出している。これらの複数のコンタクト１３及び複数のコンタクト１４の夫々の端部は、ハウジング１１が配された配線基板における配線端子部に接続される接続端子部を形成している。
【００３６】
また、ハウジング１１における背面側端縁部側には、複数のコンタクト１３及び複数のコンタクト１４の配列方向（以下、コンタクト配列方向という。）、即ち、ハウジング１１の長手方向、に沿って伸びるアクチュエータ１５が、ハウジング１１に対して回動可能に設けられている。アクチュエータ１５は、図１及び図２に示されるような、ハウジング１１に対して起き上がった状態におかれるものとされる位置を、第１の静止位置としてとることができ、また、後述される図１１に示されるような、ハウジング１１に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３７】
複数のコンタクト１３の夫々は、後述される図１１に示されるように、弾性を有した導電性材料で形成された、全体が「エ」字状を成す板状部材とされている。斯かる「エ」字状とされたコンタクト１３は、一対のビーム部１６及び１７とそれらを相互連結する連結部１８とを有しており、ビーム部１６がハウジング１１に固定される固定部とされて、ビーム部１７が揺動可能な作動部とされている。固定部とされるビーム部１６にあっては、その一端部１６ａが、ハウジング１１における背面側端縁部からハウジング１１の外部に導出されて、コンタクト１３における接続端子部を成すものとされ、また、その他端部１６ｂが、ハウジング１１に設けられた配線部材差込み部１２に臨む位置をとるものとされている。さらに、作動部とされるビーム部１７にあっては、その一端部１７ａが、ハウジング１１内において、ビーム部１６の一端部１６ａに対向するものとされ、また、その他端部１７ｂが、ハウジング１１に設けられた配線部材差込み部１２に臨む位置において、ビーム部１６の他端部１６ｂに対向するものとされている。
【００３８】
複数のコンタクト１４の夫々も、複数のコンタクト１３の夫々と同様に、弾性を有した導電性材料で形成された、全体が「エ」字状を成す板状部材とされていて、固定部及び作動部とされる一対のビーム部とそれらを相互連結する連結部を有している。但し、固定部とされるビーム部にあっては、その一端部がハウジング１１における背面側端縁部に近接したハウジング１１内の位置をとるものとされ、また、その他端部がハウジング１１における正面側端縁部からハウジング１１の外部に導出されて、コンタクト１４における接続端子部を成すものとされている。さらに、作動部とされるビーム部にあっては、その一端部が、ハウジング１１内において、固定部とされるビーム部の一端部に対向するものとされ、また、その他端部が、ハウジングに設けられた配線部材差込み部１２からハウジングにおける背面側端縁部側に離隔したハウジング内の位置において、固定部とされるビーム部に対向するものとされている。
【００３９】
さらに、ハウジング１１における長手方向、即ち、コンタクト配列方向の両端部には、各々が弾性金属材料によって形成された一対の係合部材２０及び２１が夫々取り付けられている。これらの係合部材２０及び２１は、配線板状部材が板状部材差込み部１２を通じてハウジング１１に差し込まれたとき、その配線板状部材に対する係止を行う。
【００４０】
係合部材２０は、例えば、弾性金属板材に打抜き屈曲加工が施されて一体形成され、図３及び図４に示されるように、ハウジング１１におけるコンタクト配列方向に見て板状部材差込み部１２の外側となる部分に固定される基部２３と、弾性可動アーム状部２４と、基部２３に弾性可動アーム状部２４を連結する屈曲連結部２５とを有している。弾性可動アーム状部２４は、基部２３がハウジング１１における板状部材差込み部１２の外側となる部分に固定されたもとにあっては、基部２３から屈曲連結部２５を介して板状部材差込み部１２に向かって伸びるものとされている。
【００４１】
弾性可動アーム状部２４には、ハウジング１１に板状部材差込み部１２を通じて差し込まれた配線板状部材における係合部に係合して、その配線板状部材を係止する係止部２６が屈曲部を成すものとして形成されている。また、弾性可動アーム状部２４における屈曲連結部２５と係止部２６との間となる部分が、基部２３がハウジング１１における板状部材差込み部１２の外側となる部分に固定されたもとにおいて、ハウジング１１に対する配線板状部材の板状部材差込み部１２を通じた差込み方向に対して傾斜したものとされ、ハウジング１１に板状部材差込み部１２を通じて差し込まれる配線板状部材に対する当接案内部２７を形成している。さらに、弾性可動アーム状部２４における係止部２６から伸びる先端部２８に、基部２３がハウジング１１における板状部材差込み部１２の外側となる部分に固定されたもとにおいて、ハウジング１１に設けられた一対の当接受け部３０（後述される図５に示されている。）に当接して、先端部２８のコンタクト配列方向に沿った変位を規制する一対の規制部２９が形成されている。
【００４２】
なお、係合部材２０における基部２３には、基部２３がハウジング１１における板状部材差込み部１２の外側となる部分に固定されたもとにおいて、ハウジング１１の外部へと伸びて、ハウジング１１が配された配線基板に設けられた導体部分に半田付けされる半田付け部２３ａが設けられている。ハウジング１１における板状部材差込み部１２の外側となる部分に固定された基部２３に設けられた半田付け部２３ａは、配線基板に設けられた導体部分に半田付けされることにより、配線基板に対するその上に配されたハウジング１１の堅固な固定に貢献する。
【００４３】
そして、上述のような基部２３と弾性可動アーム状部２４と屈曲連結部２５とを有した係合部材２０は、基部２３がハウジング１１における板状部材差込み部１２の外側となる部分に固定されたもとにおいて、コンタクト配列方向及びハウジング１１に対する配線板状部材の板状部材差込み部１２を通じた差込み方向の両者に直交する方向（図３及び図４において矢印Ｓによって示される方向であって、以下、必要に応じて、Ｓ方向という。）における基部２３の中心を通ってＳ方向に直交する対称面を有した面対称を成すものとして形成されている。
【００４４】
また、係合部材２１も、例えば、弾性金属板材に打抜き屈曲加工が施されて一体形成されており、図１及び図２に示されるように、ハウジング１１におけるコンタクト配列方向に見て板状部材差込み部１２の外側となる部分に固定される基部３１と、弾性可動アーム状部３２と、基部３１に弾性可動アーム状部３２を連結する屈曲連結部３３とを有して、係合部材２０と全く同形状に形成されている。弾性可動アーム状部３２は、基部３１がハウジング１１における板状部材差込み部１２の外側となる部分に固定されたもとにあっては、基部３１から屈曲連結部３３を介して板状部材差込み部１２に向かって伸びるものとされている。
【００４５】
そして、弾性可動アーム状部３２には、図示されていないが、ハウジング１１に板状部材差込み部１２を通じて差し込まれた配線板状部材における係合部に係合して、その配線板状部材を係止する、係合部材２０における係止部２６に相当する係止部が屈曲部を成すものとして形成されている。また、弾性可動アーム状部３２における屈曲連結部３３と係止部との間となる部分が、基部３１がハウジング１１における板状部材差込み部１２の外側となる部分に固定されたもとにおいて、ハウジング１１に対する配線板状部材の板状部材差込み部１２を通じた差込み方向に対して傾斜したものとされ、ハウジング１１に板状部材差込み部１２を通じて差し込まれる配線板状部材に対する当接案内部３４（後述される図１０に示されている。）を形成しており、弾性可動アーム状部３２における係止部から伸びる先端部３５（後述される図１０に示されている。）に、基部３１がハウジング１１における板状部材差込み部１２の外側となる部分に固定されたもとにおいて、ハウジング１１に設けられた一対の当接受け部３７（後述される図１０に示されている。）に当接して、先端部３５のコンタクト配列方向に沿った変位を規制する一対の規制部３６（後述される図１０に示されている。）が形成されている。
【００４６】
さらに、係合部材２１における基部３１には、基部３１がハウジング１１における板状部材差込み部１２の外側となる部分に固定されたもとにおいて、ハウジング１１の外部へと伸びて、ハウジング１１が配された配線基板に設けられた導体部分に半田付けされる半田付け部３１ａ（図１）が設けられている。ハウジング１１における板状部材差込み部１２の外側となる部分に固定された基部３１に設けられた半田付け部３１ａは、配線基板に設けられた導体部分に半田付けされることにより、配線基板に対するその上に配されたハウジング１１の堅固な固定に貢献する。
【００４７】
このような、基部３１と弾性可動アーム状部３２と屈曲連結部３３とを有した係合部材２１も、基部３１がハウジング１１における板状部材差込み部１２の外側となる部分に固定されたもとにおいて、Ｓ方向における基部３１の中心を通ってＳ方向に直交する対称面を有した面対称を成すものとして形成されている。
【００４８】
従って、係合部材２０及び２１は、一対の同一形状を有した部品である。即ち、係合部材２０と係合部材２１とは、一対の同一形状を有した部品が、各々の向きを互いに異にして弾性可動アーム状部２４と弾性可動アーム状部３２とを相互対向させる状態をもって、ハウジング１１におけるコンタクト配列方向の両端部に夫々取り付けられて成るものである。
【００４９】
係合部材２０がハウジング１１における端部に取り付けられたもとにあっては、図２における V−V 線断面を示す図５に示されるように、係合部材２０における基部２３がハウジング１１における板状部材差込み部１２の外側となる部分に固定され、係合部材２０の弾性可動アーム状部２４における係止部２６が板状部材差込み部１２内に入り込んだものとされる。そして、弾性可動アーム状部２４の先端部２８に設けられた一対の規制部２９が、ハウジング１１に設けられた一対の当接受け部３０に夫々当接して、先端部２８のコンタクト配列方向に沿った変位を規制している。
【００５０】
同様に、係合部材２１がハウジング１１における端部に取り付けられたもとにあっては、係合部材２１における基部３１がハウジング１１における板状部材差込み部１２の外側となる部分に固定され、係合部材２１の弾性可動アーム状部３２における係止部が板状部材差込み部１２内に入り込んだものとされる。そして、弾性可動アーム状部３２の先端部３５に設けられた一対の規制部３６が、ハウジング１１に設けられた一対の当接受け部３７に夫々当接して、先端部３５のコンタクト配列方向に沿った変位を規制している。
【００５１】
図６は、コネクタ装置１０のハウジング１１に板状部材差込み部１２を通じて差し込まれる配線板状部材を成すフレキシブル印刷配線基板４０（以下、ＦＰＣ４０という。）を示す。
【００５２】
図６に示されるＦＰＣ４０は、回路構成部４１とそれに連結された端子板部４２とを有している。端子板部４２には、各々が回路構成部４１から引き出された複数の接触端子部４３及び複数の接触端子部４４が交互に配されている。複数の接触端子部４３は、端子板部４２の端縁部分４５に沿う方向に所定のピッチをもって配列配置配されており、また、複数の接触接続端子４４は、端子板部４２の端縁部分４５に近接した位置において複数の接触接続端子４３の配列方向と同方向に所定のピッチをもって配列配置されている。
【００５３】
また、ＦＰＣ４０の端子板部４２には、複数の接触端子部４３及び複数の接触端子部４４をそれらの配列方向において挟んで対向する一対の係合部４６及び４７が形成されている。これらの係合部４６及び４７は、各々が切欠き凹部を成すものとされている。さらに、端子板部４２における端縁部分４５と係合部４６との間に案内受け部４８が形成されているとともに、端子板部４２における端縁部分４５と係合部４７との間にも案内受け部４９が形成されている。
【００５４】
そして、コネクタ装置１０のハウジング１１が配線基板上に配されて固定されたもとで、ＦＰＣ４０が板状部材差込み部１２を通じてハウジング１１に差し込まれるときには、図７及び図８に示されるように、コネクタ装置１０に備えられたアクチュエータ１５が第１の静止位置をとるものとされ、ハウジング１１に差し込まれたＦＰＣ４０の端子板部４２における複数の接触端子部４３及び複数の接触端子部４４が配列配置された部分がハウジング１１内に位置せしめられるとともに、端子板部４２における一対の係合部４６及び４７が形成された部分も部分的にハウジング１１内に位置せしめられる。
【００５５】
斯かる際には、ＦＰＣ４０がハウジング１１に板状部材差込み部１２を通じて差し込まれるにあたり、ＦＰＣ４０の端子板部４２に形成された案内受け部４８が、ハウジング１１におけるコンタクト配列方向の両端部に夫々取り付けられた一対の係合部材２０及び２１のうちの係合部材２０における弾性可動アーム状部２４が形成する当接案内部２７に当接して、当接案内部２７による案内を受け、また、ＦＰＣ４０の端子板部４２に形成された案内受け部４９が、ハウジング１１におけるコンタクト配列方向の両端部に夫々取り付けられた一対の係合部材２０及び２１のうちの係合部材２１における弾性可動アーム状部３２が形成する当接案内部３４に当接して、当接案内部３４による案内を受ける。それにより、ハウジング１１に板状部材差込み部１２を通じて差し込まれるＦＰＣ４０が、係合部材２０に設けられた当接案内部２７及び係合部材２１に設けられた当接案内部３４によって案内されることになる。
【００５６】
このようにして、ＦＰＣ４０のハウジング１１への板状部材差込み部１２を通じた差込みが行われ、その差込みが完了したもとにあっては、図８におけるIX−IX線断面を示す図９に示されるように、係合部材２０における弾性可動アーム状部２４に屈曲部を成すものとして形成された係止部２６が、ＦＰＣ４０の端子板部４２における係合部４６に係合し、それにより、端子板部４２を係止する。即ち、係合部材２０における弾性可動アーム状部２４に形成された係止部２６は、ＦＰＣ４０における係合部４６に係合してＦＰＣ４０を係止することになる。
【００５７】
また、それとともに、図示は省略されているが、係合部材２１における弾性可動アーム状部３２に屈曲部を成すものとして形成された、係合部材２０における係止部２６に相当する係止部が、ＦＰＣ４０の端子板部４２における係合部４７に係合して、それにより、端子板部４２を係止する。即ち、係合部材２１における弾性可動アーム状部３２に形成された係止部も、ＦＰＣ４０における係合部４７に係合してＦＰＣ４０を係止することになる。
【００５８】
その結果、ハウジング１１におけるコンタクト配列方向の両端部に夫々取り付けられた一対の係合部材２０及び２１が、ハウジング１１に板状部材差込み部１２を通じて差し込まれたＦＰＣ４０に対する係止を行うことになり、それにより、ＦＰＣ４０のハウジング１１からの不所望な抜脱が阻止される。
【００５９】
さらに、このとき、図８における一点鎖線枠Ａ内をＦＰＣ４０を除去して示す図１０に示されるように、ハウジング１１に取り付けられた係合部材２１の弾性可動アーム状部３２における係止部から伸びる先端部３５がハウジング１１内に位置するものとされており、その先端部３５に形成された一対の規制部３６が、ハウジング１１に設けられた一対の当接受け部３７に夫々当接して、先端部３５のコンタクト配列方向に沿った変位を規制している。それにより、ＦＰＣ４０にハウジング１１から抜き出される方向の不所望な力が作用したときにも、弾性可動アーム状部３２に形成された係止部がＦＰＣ４０における係合部４７に係合した状態が維持され、ＦＰＣ４０がハウジング１１から容易に抜き出されてしまう事態が阻止される。
【００６０】
同様に、ハウジング１１に取り付けられた係合部材２０の弾性可動アーム状部２４における係止部２６から伸びる先端部２８がハウジング１１内に位置するものとされており、その先端部２８に形成された一対の規制部２９が、ハウジング１１に設けられた一対の当接受け部３０に夫々当接して、先端部２８のコンタクト配列方向に沿った変位を規制している。それにより、ＦＰＣ４０にハウジング１１から抜き出される方向の不所望な力が作用したときにも、弾性可動アーム状部２４に形成された係止部２６がＦＰＣ４０における係合部４６に係合した状態が維持され、ＦＰＣ４０がハウジング１１から容易に抜き出されてしまう事態が阻止される。
【００６１】
上述のようにして、コネクタ装置１０のハウジング１１への板状部材差込み部１２を通じたＦＰＣ４０の差込みが完了したときには、複数の接触端子部４３及び複数の接触端子部４４が配列配置されたＦＰＣ４０の端子板部４２が、コネクタ装置１０のハウジング１１内において、配列配置された複数のコンタクト１３の夫々における固定部とされるビーム部１６と作動部とされるビーム部１７との間、及び、配列配置された複数のコンタクト１４の夫々における固定部とされるビーム部と作動部とされるビーム部との間に配される。その際、ＦＰＣ４０の端子板部４２に配された複数の接触端子部４３の夫々が、コンタクト１３における作動部とされるビーム部１７の他端部１７ｂに対応する位置におかれるものとされ、また、ＦＰＣ４０の端子板部４２に配された複数の接触端子部４４の夫々が、コンタクト１４における作動部とされるビーム部の他端部に対応する位置におかれるものとされる。
【００６２】
その後、コネクタ装置１０に備えられたアクチュエータ１５が、ハウジング１１に対して回動せしめられて、第１の静止位置から第２の静止位置へと移行せしめられると、図１１に示されるように、複数のコンタクト１３の夫々における固定部とされるビーム部１６の一端部１６ａと作動部とされるビーム部１７の一端部１７ａとの間に両者に当接して回動可能に配された、アクチュエータ１５が備えるカム部５０が、作動部とされるビーム部１７の一端部１７ａを固定部とされるビーム部１６の一端部１６ａから離隔させる方向に移動させる。それに伴い、作動部とされるビーム部１７が、その他端部１７ｂを、固定部とされるビーム部１６の他端部１６ｂに近接する方向に移動させようとする。その結果、複数のコンタクト１３の夫々における作動部とされるビーム部１７の他端部１７ｂが、ＦＰＣ４０の端子板部４２に配された複数の接触端子部４３のうちの対応するものに押圧接触せしめられ、それにより、複数の接触端子部４３が複数のコンタクト１３に夫々電気的に接続された状態が得られる。
【００６３】
また、アクチュエータ１５が備えるカム部５０は、複数のコンタクト１４の夫々における固定部とされるビーム部の一端部と作動部とされるビーム部の一端部との間にも、両者に当接して回動可能に配されている。それゆえ、コネクタ装置１０に備えられたアクチュエータ１５が、ハウジング１１に対して回動せしめられて、第１の静止位置から第２の静止位置へと移行せしめられるときには、アクチュエータ１５が備えるカム部５０が、複数のコンタクト１４の夫々について、作動部とされるビーム部の一端部を固定部とされるビーム部の一端部から離隔させる方向に移動させる。それに伴い、作動部とされるビーム部が、その他端部を、固定部とされるビーム部の他端部に近接する方向に移動させようとする。その結果、複数のコンタクト１４の夫々における作動部とされるビーム部の他端部が、ＦＰＣ４０の端子板部４２に配された複数の接触端子部４４のうちの対応するものに押圧接触せしめられ、それにより、複数の接触端子部４４が複数のコンタクト１４に夫々電気的に接続された状態が得られる。
【００６４】
複数のコンタクト１３における固定部とされるビーム部１６の一端部１６ａは、接続端子部を形成していて、コネクタ装置１０のハウジング１１が配された配線基板における配線端子部に接続されており、また、複数のコンタクト１４における固定部とされるビーム部の一端部も接続端子部を形成していて、コネクタ装置１０のハウジング１１が配された配線基板における配線端子部に接続されている。それゆえ、上述のようにして、複数の接触端子部４３が複数のコンタクト１３に夫々電気的に接続されるとともに、複数の接触端子部４４が複数のコンタクト１４に夫々電気的に接続されることにより、ＦＰＣ４０の端子板部４２に配された複数の接触端子部４３及び複数の接触端子部４４が、コネクタ装置１０における複数のコンタクト１３及び複数のコンタクト１４を介して、コネクタ装置１０のハウジング１１が配された配線基板における配線端子部に電気的に接続されることになる。
【００６５】
なお、コネクタ装置１０のハウジング１１におけるコンタクト配列方向の両端部に夫々取り付けられた一対の係合部材２０及び２１による、板状部材差込み部１２を通じてハウジング１１に差し込まれたＦＰＣ４０に対する係止が行われているもとで、ＦＰＣ４０をハウジング１１から抜き出す必要が生じた場合には、ＦＰＣ４０に、ハウジング１１への差込み方向とは逆方向の所定以上の引出し力を加えることにより、係合部材２０の弾性可動アーム状部２４及び係合部材２１の弾性可動アーム状部３２の夫々の弾性を利用して、係合部材２０及び２１によるＦＰＣ４０に対する係止を解除することができる。
【００６６】
上述のようなコネクタ装置１０にあっては、ハウジング１１におけるコンタクト配列方向の両端部に夫々取り付けられた一対の係合部材２０及び２１が、係合部材２０がＳ方向（コンタクト配列方向及びハウジング１１に対する板状部材差込み部を通じた配線板状部材を成すＦＰＣ４０の差込み方向との両者に直交する方向）における基部２３の中心を通ってＳ方向に直交する対称面に関して面対称を成すものとして形成され、また、係合部材２１がＳ方向における基部３１の中心を通ってＳ方向に直交する対称面に関して面対称を成すものとして形成されていて、それにより、一対の同一形状を有した部品が、各々の向きを互いに異にして弾性可動アーム状部２４と弾性可動アーム状部３２とを相互対向させる状態をもって配されて成るものとされている。即ち、コネクタ装置１０にあっては、ハウジング１１におけるコンタクト配列方向の両端部に、一対の同一形状を有した部品を係合部材２０及び２１として夫々取り付けることができることになる。その結果、コネクタ装置１０によれば、その製造にあたっての部品管理における負担が軽減され、さらに、ハウジング１１に係合部材２０及び２１を取り付ける際の部品の取違え等を防止するための作業管理における負担も軽減される。
【００６７】
しかも、係合部材２０が、ハウジング１１における板状部材差込み部１２の外側となる部分に固定される基部２３とその基部２３から屈曲連結部２５を介して板状部材差込み部１２に向かって伸びる弾性可動アーム状部２４とを有していて、弾性可動アーム状部２４に、板状部材差込み部１２を通じてハウジング１１に差し込まれたＦＰＣ４０の端子板部４２に形成された係合部４６に係合してＦＰＣ４０の端子板部４２を係止する係止部２６が形成されたものとされており、また、係合部材２１が、ハウジング１１における板状部材差込み部１２の外側となる部分に固定される基部３１とその基部３１から屈曲連結部３３を介して板状部材差込み部１２に向かって伸びる弾性可動アーム状部３２とを有していて、弾性可動アーム状部３２に、板状部材差込み部１２を通じてハウジング１１に差し込まれたＦＰＣ４０の端子板部４２に形成された係合部４７に係合してＦＰＣ４０の端子板部４２を係止する係止部が形成されたものとされていることにより、一対の係合部材２０及び２１の夫々による、ハウジング１１に板状部材差込み部１２を通じて差し込まれたＦＰＣ４０に対する係止を、確実かつ安定に行うことができることになる。
【００６８】
また、コネクタ装置１０にあっては、係合部材２０が、弾性可動アーム状部２４における屈曲連結部２５と係止部２６との間となる部分が、ハウジング１１に板状部材差込み部１２を通じて差し込まれるＦＰＣ４０に対する当接案内部２７を形成しているものとされ、また、係合部材２１が、弾性可動アーム状部３２における屈曲連結部３３と係止部との間となる部分が、ハウジング１１に板状部材差込み部１２を通じて差し込まれるＦＰＣ４０に対する当接案内部３４を形成しているものとされる。それにより、ハウジング１１に板状部材差込み部１２を通じて差し込まれるＦＰＣ４０が、係合部材２０に設けられた当接案内部２７及び係合部材２１に設けられた当接案内部３４に当接してそれによる案内を受け、ハウジング１１に対する差込みが円滑に行われるものとされる。
【００６９】
さらに、コネクタ装置１０にあっては、係合部材２０が、弾性可動アーム状部２４における係止部２６から伸びる先端部２８に、ハウジング１１に設けられた当接受部３０に当接して、先端部２８のコンタクト配列方向に沿った変位を規制する規制部２９が形成されたものとされ、また、係合部材２１が、弾性可動アーム状部３２における係止部から伸びる先端部３５に、ハウジング１１に設けられた当接受部３７に当接して、先端部３５のコンタクト配列方向に沿った変位を規制する規制部３６が形成されたものとされる。それにより、係合部材２０及び２１の夫々による係止が行われたＦＰＣ４０に、それをハウジング１１から抜き出そうとする不所望な力が加えられたとき、係合部材２０における規制部２９がハウジング１１に設けられた当接受部３０に当接して、弾性可動アーム状部２４の先端部２８のコンタクト配列方向に沿った変位を規制するとともに、係合部材２１における規制部３６がハウジング１１に設けられた当接受部３７に当接して、弾性可動アーム状部３２の先端部３５のコンタクト配列方向に沿った変位を規制し、それに伴って、係合部材２０における係止部２６がＦＰＣ４０における係合部４６に係合した状態、及び、係合部材２１における係止部がＦＰＣ４０における係合部４７に係合した状態が維持される。その結果、ＦＰＣ４０がハウジング１１から容易に抜き出されてしまう事態が阻止される。
【産業上の利用可能性】
【００７０】
以上のような本発明に係るコネクタ装置は、例えば、フレキシブル印刷配線基板やフレキシブル平板状ケーブル等とされる配線板状部材の他の配線基板への取付けに用いられる、板状部材差込み部が設けられたハウジングとハウジングに配列配置されて設けられる複数のコンタクトとを備えたコネクタ装置であって、ハウジングにおける複数のコンタクトの配列方向の両端部に一対の同一形状を有した係合部材を取り付けることができ、その一対の係合部材によって、ハウジングに板状部材差込み部を通じて差し込まれた配線板状部材に対する係止を確実かつ安定に行うことができるものとして、様々な電子機器等に広く適用され得るものである。
【符号の説明】
【００７１】
１０・・・コネクタ装置，  １１・・・ハウジング，    １２・・・板状部材差込み部，  １３，１４・・・コンタクト，  １５・・・アクチュエータ，  １６，１７・・・ビーム部，  １８・・・連結部，  ２０，２１・・・係合部材，  ２３，３１・・・基部，  ２４，３２・・・弾性可動アーム状部,   ２５，３３・・・屈曲連結部，  ２６・・・係止部，  ２７，３４・・・当接案内部，  ２８，３５・・・先端部,   ２９，３６・・・規制部，  ３０，３７・・・当接受部，  ４０・・・フレキシブル印刷配線基板（ＦＰＣ），  ４１・・・回路構成部，  ４２・・・端子板部，  ４３，４４・・・接触端子部，  ４５・・・端縁部分，  ４６，４７・・・係合部，  ４８，４９・・・案内受け部，  ５０・・・カム部
【図１】
2015170458.tif 000003
【図２】
2015170458.tif 000004
【図３】
2015170458.tif 000005
【図４】
2015170458.tif 000006
【図５】
2015170458.tif 000007
【図６】
2015170458.tif 000008
【図７】
2015170458.tif 000009
【図８】
2015170458.tif 000010
【図９】
2015170458.tif 000011
【図１０】
2015170458.tif 000012
【図１１】
2015170458.tif 000013